(57)【要約】  押出成形により作製された、アルミニウム又はアルミニウム合金製の扁平多穴管であり、扁平多穴管内部に、管長さ方向に延長し、対向する上部壁面及び下部壁面と、対向する一対の側壁面と、からなる冷媒通路を複数有し、該冷媒通路の該上部壁面にのみ、管長さ方向に延長する突条が形成されており、該突条の高さが、該冷媒通路の縦幅の５〜２５％であり、該冷媒通路の横幅に対する該突条の１／２高さにおける横幅の比が、０．０５〜０．３０であり、且つ、該冷媒通路の横幅に対する該上部壁面の突条間平坦部１つ当たりの横幅の比が、０．２０以下であること、を特徴とするアルミニウム製押出扁平多穴管。  本発明によれば、突条による流動抵抗の増大を抑制し、且つ、伝熱性能が高いアルミニウム製押出扁平多穴管を提供することができる。
2017073715.tif 000002
【特許請求の範囲】
【請求項１】
押出成形により作製された、アルミニウム又はアルミニウム合金製の扁平多穴管であり、
扁平多穴管内部に、管長さ方向に延長し、対向する上部壁面及び下部壁面と、対向する一対の側壁面と、からなる冷媒通路を複数有し、
該冷媒通路の該上部壁面にのみ、管長さ方向に延長する突条が形成されており、
該突条の高さが、該冷媒通路の縦幅の５〜２５％であり、
該冷媒通路の横幅に対する該突条の１／２高さにおける横幅の比が、０．０５〜０．３０であり、且つ、該冷媒通路の横幅に対する該上部壁面の突条間平坦部１つ当たりの横幅の比が、０．２０以下であること、
を特徴とするアルミニウム製押出扁平多穴管。
【請求項２】
前記突条の頂部が弧状又は円弧状であることを特徴とする請求項１記載のアルミニウム製押出扁平多穴管。
【請求項３】
各々の前記冷媒通路の前記上部壁面に形成されている前記突条の数が、１〜４であることを特徴とする請求項１又は２いずれか１項記載のアルミニウム製押出扁平多穴管。
【請求項４】
押出成形により作製された、アルミニウム又はアルミニウム合金製の扁平多穴管であり、
扁平多穴管内部に、管長さ方向に延長し、対向する上部壁面及び下部壁面と、対向する一対の側壁面と、からなる冷媒通路を複数有し、
該冷媒通路の該下部壁面にのみ、管長さ方向に延長する突条が形成されており、
該突条の高さが、該冷媒通路の縦幅の５〜２５％であり、
該冷媒通路の横幅に対する該突条の１／２高さにおける横幅の比が、０．０５〜０．３０であり、且つ、該冷媒通路の横幅に対する該下部壁面の突条間平坦部１つ当たりの横幅の比が、０．２０以下であること、
を特徴とするアルミニウム製押出扁平多穴管。
【請求項５】
前記突条の頂部が弧状又は円弧状であることを特徴とする請求項４記載のアルミニウム製押出扁平多穴管。
【請求項６】
各々の前記冷媒通路の前記下部壁面に形成されている前記突条の数が、１〜４であることを特徴とする請求項４又は５いずれか１項記載のアルミニウム製押出扁平多穴管。
【請求項７】
押出成形により作製された、アルミニウム又はアルミニウム合金製の扁平多穴管であり、
扁平多穴管内部に、管長さ方向に延長し、対向する上部壁面及び下部壁面と、対向する一対の側壁面と、からなる冷媒通路を複数有し、
複数の該冷媒通路は、上部壁面にのみ管長さ方向に延長する突条が形成されている上部壁面突条形成冷媒通路と、下部壁面にのみ管長さ方向に延長する突条が形成されている下部壁面突条形成冷媒通路と、の組み合わせであり、
該突条の高さが、該冷媒通路の縦幅の５〜２５％であり、
該冷媒通路の横幅に対する該突条の１／２高さにおける横幅の比が、０．０５〜０．３０であり、該冷媒通路の横幅に対する該上部壁面の突条間平坦部１つ当たりの横幅の比が、０．２０以下であり、且つ、該冷媒通路の横幅に対する該下部壁面の突条間平坦部１つ当たりの横幅の比が、０．２０以下であること、
を特徴とするアルミニウム製押出扁平多穴管。
【請求項８】
前記突条の頂部が弧状又は円弧状であることを特徴とする請求項７記載のアルミニウム製押出扁平多穴管。
【請求項９】
前記上部壁面突条形成冷媒通路の数と前記下部壁面突条形成冷媒通路の数の比が、２：８〜８：２であることを特徴とする請求項７又は８いずれか１項記載のアルミニウム製押出扁平多穴管。
【請求項１０】
前記上部壁面突条形成冷媒通路と前記下部壁面突条形成冷媒通路とが交互に繰り返されていることを特徴とする請求項７又は８いずれか１項記載のアルミニウム製押出扁平多穴管。
【請求項１１】
各々の前記冷媒通路の前記上部壁面又は前記下部壁面に形成されている前記突条の数が、１〜４であることを特徴とする請求項７〜１０いずれか１項記載のアルミニウム製押出扁平多穴管。
【請求項１２】
列配置されている複数の扁平多穴管と、該扁平多穴管に固定されている複数の放熱フィンと、を有し、
該扁平多穴管が、請求項１〜３いずれか１項記載のアルミニウム製押出扁平多穴管であること、
を特徴とする熱交換器。
【請求項１３】
列配置されている複数の扁平多穴管と、該扁平多穴管に固定されている複数の放熱フィンと、を有し、
該扁平多穴管が、請求項４〜６いずれか１項記載のアルミニウム製押出扁平多穴管であること、
を特徴とする熱交換器。
【請求項１４】
列配置されている複数の扁平多穴管と、該扁平多穴管に固定されている複数の放熱フィンと、を有し、
複数の該扁平多穴管が、請求項１〜３いずれか１項記載のアルミニウム製押出扁平多穴管と、請求項４〜６いずれか１項記載のアルミニウム製押出扁平多穴管と、の組み合わせであり、
気相側に、請求項１〜３いずれか１項記載のアルミニウム製押出扁平多穴管が配置されており、且つ、液相側に、請求項４〜６いずれか１項記載のアルミニウム製押出扁平多穴管が配置されていること、
を特徴とする熱交換器。
【請求項１５】
列配置されている複数の扁平多穴管と、該扁平多穴管に固定されている複数の放熱フィンと、を有し、
該扁平多穴管が、請求項７〜１１いずれか１項記載のアルミニウム製押出扁平多穴管であること、
を特徴とする熱交換器。
【発明の詳細な説明】
【技術分野】
【０００１】
本発明は、偏平多穴管の流体通路内部を水平方向に流通するような構造を有するエバポレータやコンデンサなどのルームエアコン等の空調機器や自動車用エアコンに用いられる熱交換器を構成するアルミニウム製押出扁平多穴管及びそれを用いる熱交換器に関する。
【背景技術】
【０００２】
エアコンに代表される空調機器や冷凍機器等における蒸発器や凝縮器等の熱交換器では、オールアルミニウム製の熱交換器が多く用いられている。このようなオールアルミニウム製の熱交換器は、アルミニウム製の一対のヘッダに、アルミニウム製の押出扁平多穴管が多数列配置されて挿入固定され、それらの多数の扁平多穴管に、アルミニウム製の放熱フィンが多数固定されて構成されている。【０００３】
従来より、冷房専用空調用熱交換器では、伝熱性能の向上を目的として、このようなアルミニウム製押出扁平多穴管に、管内の伝熱面積を増加させるために、管の長さ方向に延びる冷媒通路内に、突条を形成させることが行われてきた。【０００４】
例えば、特許文献１に開示されている扁平管は、流体通路内部に、曲面に形成された溝縁部と、曲面に形成された溝底部と、該溝底部と上記溝縁部とに間に形成された直線部を備えている。【０００５】
また、特許文献２に開示されている扁平管には、第１流体が流通する複数の流体通路が形成された扁平形状の熱交換チューブであって、各流体通路の壁面には、流体通路の流通方向に沿って延びる少なくとも１つの突条が形成され、突条の基端が位置する壁面には突条に沿って延びる溝が設けられている。【０００６】
また、特許文献３に開示されている扁平管では、管長さ方向に延びる複数の流体通路が、仕切り壁を介して管幅方向に並んで形成されており、両平坦壁における管幅方向の両端の流体通路を除いた各流体通路に臨む部分の内面に、流体通路の長さに延びる１つの凸条を形成し、仕切り壁の両側面に、流体通路の長さ方向に延びる１つの凸条が形成されており、仕切り壁に形成された凸条の高さを、両平坦壁における管幅方向の両端の流体通路を除いた各流体通路に臨む部分に形成された凸条の高さよりも低くしている。
【先行技術文献】
【特許文献】
【０００７】
【特許文献１】特開２０１２−１５４４９５号公報
【特許文献２】特開２００７−３２２００７号公報
【特許文献３】特開２０１０−２５５８６４号公報
【発明の開示】
【発明が解決しようとする課題】
【０００８】
ところが、冷暖房空調用熱交換器では、特許文献１〜３の扁平管のように、管内の冷媒通路の壁面に、管長さ方向に延びる突条を形成させると、突条が流動抵抗となって圧力損失が増大し、蒸発性能が低下するという問題があった。【０００９】
従って、本発明の目的は、突条による流動抵抗の増大を抑制し、且つ、伝熱性能が高いアルミニウム製押出扁平多穴管を提供することにある。
【課題を解決するための手段】
【００１０】
本発明者らは、以下の本発明によって解決される。
すなわち、本発明（１）は、押出成形により作製された、アルミニウム又はアルミニウム合金製の扁平多穴管であり、
扁平多穴管内部に、管長さ方向に延長し、対向する上部壁面及び下部壁面と、対向する一対の側壁面と、からなる冷媒通路を複数有し、
該冷媒通路の該上部壁面にのみ、管長さ方向に延長する突条が形成されており、
該突条の高さが、該冷媒通路の縦幅の５〜２５％であり、
該冷媒通路の横幅に対する該突条の１／２高さにおける横幅の比が、０．０５〜０．３０であり、且つ、該冷媒通路の横幅に対する該上部壁面の突条間平坦部１つ当たりの横幅の比が、０．２０以下であること、
を特徴とするアルミニウム製押出扁平多穴管を提供するものである。【００１１】
また、本発明（２）は、押出成形により作製された、アルミニウム又はアルミニウム合金製の扁平多穴管であり、
扁平多穴管内部に、管長さ方向に延長し、対向する上部壁面及び下部壁面と、対向する一対の側壁面と、からなる冷媒通路を複数有し、
該冷媒通路の該下部壁面にのみ、管長さ方向に延長する突条が形成されており、
該突条の高さが、該冷媒通路の縦幅の５〜２５％であり、
該冷媒通路の横幅に対する該突条の１／２高さにおける横幅の比が、０．０５〜０．３０であり、且つ、該冷媒通路の横幅に対する該下部壁面の突条間平坦部１つ当たりの横幅の比が、０．２０以下であること、
を特徴とするアルミニウム製押出扁平多穴管を提供するものである。【００１２】
また、本発明（３）は、押出成形により作製された、アルミニウム又はアルミニウム合金製の扁平多穴管であり、
扁平多穴管内部に、管長さ方向に延長し、対向する上部壁面及び下部壁面と、対向する一対の側壁面と、からなる冷媒通路を複数有し、
複数の該冷媒通路は、上部壁面にのみ管長さ方向に延長する突条が形成されている上部壁面突条形成冷媒通路と、下部壁面にのみ管長さ方向に延長する突条が形成されている下部壁面突条形成冷媒通路と、の組み合わせであり、
該突条の高さが、該冷媒通路の縦幅の５〜２５％であり、
該冷媒通路の横幅に対する該突条の１／２高さにおける横幅の比が、０．０５〜０．３０であり、該冷媒通路の横幅に対する該上部壁面の突条間平坦部１つ当たりの横幅の比が、０．２０以下であり、且つ、該冷媒通路の横幅に対する該下部壁面の突条間平坦部１つ当たりの横幅の比が、０．２０以下であること、
を特徴とするアルミニウム製押出扁平多穴管を提供するものである。【００１３】
また、本発明（４）は、列配置されている複数の扁平多穴管と、該扁平多穴管に固定されている複数の放熱フィンと、を有し、
該扁平多穴管が、（１）のアルミニウム製押出扁平多穴管であること、
を特徴とする熱交換器を提供するものである。【００１４】
また、本発明（５）は、列配置されている複数の扁平多穴管と、該扁平多穴管に固定されている複数の放熱フィンと、を有し、
該扁平多穴管が、（２）のアルミニウム製押出扁平多穴管であること、
を特徴とする熱交換器を提供するものである。【００１５】
また、本発明（６）は、列配置されている複数の扁平多穴管と、該扁平多穴管に固定されている複数の放熱フィンと、を有し、
複数の該扁平多穴管が、（１）のアルミニウム製押出扁平多穴管と、（２）のアルミニウム製押出扁平多穴管と、の組み合わせであり、
気相側に、（１）のアルミニウム製押出扁平多穴管が配置されており、且つ、液相側に、（２）のアルミニウム製押出扁平多穴管が配置されていること、
を特徴とする熱交換器を提供するものである。【００１６】
また、本発明（７）は、列配置されている複数の扁平多穴管と、該扁平多穴管に固定されている複数の放熱フィンと、を有し、
該扁平多穴管が、（３）のアルミニウム製押出扁平多穴管であること、
を特徴とする熱交換器を提供するものである。
【発明の効果】
【００１７】
本発明によれば、突条による流動抵抗の増大を抑制し、且つ、伝熱性能が高いアルミニウム製押出扁平多穴管を提供することができる。
【図面の簡単な説明】
【００１８】
【図１】本発明の第一の形態のアルミニウム製押出扁平多穴管の形態例の模式的な斜視図である。
【図２】図１中のアルミニウム製押出扁平多穴管を、冷媒通路の開口側から見た拡大図である。
【図３】図２中のＡ部分の拡大図である。
【図４】図３中の突条及び突条間平坦部の拡大図である。
【図５】本発明の第二の形態のアルミニウム製押出扁平多穴管の形態例を、冷媒通路の開口側から見た模式図である。
【図６】本発明の第三の形態のアルミニウム製押出扁平多穴管の形態例を、冷媒通路の開口側から見た模式図である。
【図７】本発明の第一の形態の熱交換器の形態例の模式的な斜視図である。
【図８】本発明の第一の形態の熱交換器の形態例の模式的な正面図である。
【発明を実施するための形態】
【００１９】
本発明の第一の形態のアルミニウム製押出扁平多穴管について、図１〜図３を参照して説明する。図１は、本発明の第一の形態のアルミニウム製押出扁平多穴管の形態例の模式的な斜視図である。図２は、図１中のアルミニウム製押出扁平多穴管を、冷媒通路の開口側から見た拡大図である。図３は、図２中のＡ部分の拡大図である。図４は、図３中の突条及び突条間平坦部の拡大図である。
【００２０】
図１〜図３中、アルミニウム製押出扁平多穴管１ａは、アルミニウム又はアルミニウム合金からなる。アルミニウム製押出扁平多穴管１ａの外壁は、平坦な上部外壁９ａと、平坦な下部外壁１０ａと、アルミニウム製押出扁平多穴管１ａの管長さ方向に対して垂直な面で切ったときの断面視で円弧状の外部側壁１１ａ、１１ａと、からなる。アルミニウム製押出扁平多穴管１ａの管長さ方向に対して垂直な面で切ったときの断面視で、上部外壁９ａと下部外壁１０ａの壁面は平行である。
【００２１】
アルミニウム製押出扁平多穴管１ａは、冷媒の流路となる冷媒通路２ａを複数有する。冷媒通路２ａは、管長さ方向１７に延びている。なお、管長さ方向１７は、アルミニウム製押出扁平多穴管１ａの押出方向である。
【００２２】
冷媒通路２ａは、対向する上部壁面３ａ及び下部壁面４ａと、対向する側壁面５ａ及び側壁面６ａと、からなる。各々の冷媒通路２ａは、隔壁８ａで区画されることにより、管内に複数形成されている。そして、アルミニウム製押出扁平多穴管１ａでは、冷媒通路２ａには、上部壁面３ａにのみ、管長さ方向に延びる突条７ａが形成されている。よって、管長さ方向に対して垂直な面で切った断面における冷媒流路２ａの形状は、上側の辺に、内側に向けて突起が形成されている略矩形状の形状である。
【００２３】
冷媒通路２ａでは、図３に示すように、突条の高さ１５は、冷媒通路の縦幅１４の５〜２５％、特に好ましくは冷媒通路の縦幅１４の５〜２０％、より好ましくは冷媒通路の縦幅１４の１０〜２０％である。
【００２４】
冷媒通路２ａでは、図４に示すように、冷媒通路の横幅２０に対する突条７ａの１／２高さ（符号４３で示す位置）における横幅４２の比が、０．０５〜０．３０、好ましくは０．１０〜０．２０であり、且つ、冷媒通路の横幅２０に対する上部壁面３ａの突条間平坦部７２の１つ当たりの横幅４１の比が、０．２０以下、好ましくは０．０５〜０．１５である。
【００２５】
冷媒通路２ａでは、図４に示すように、突条７ａの頂部７３の形状は、冷媒通路２ａに向かって張り出す弧状又は円弧状である。
【００２６】
本発明の第一の形態のアルミニウム製押出扁平多穴管は、押出成形により作製された、アルミニウム又はアルミニウム合金製の扁平多穴管であり、
扁平多穴管内部に、管長さ方向に延長し、対向する上部壁面及び下部壁面と、対向する一対の側壁面と、からなる冷媒通路を複数有し、
該冷媒通路の該上部壁面にのみ、管長さ方向に延長する突条が形成されており、
該突条の高さが、該冷媒通路の縦幅の５〜２５％であり、
該冷媒通路の横幅に対する該突条の１／２高さにおける横幅の比が、０．０５〜０．３０であり、且つ、該冷媒通路の横幅に対する該上部壁面の突条間平坦部１つ当たりの横幅の比が、０．２０以下であること、
を特徴とするアルミニウム製押出扁平多穴管である。
【００２７】
本発明の第一の形態のアルミニウム製押出扁平多穴管は、アルミニウム又はアルミニウム合金からなり、アルミニウム又はアルミニウム合金の押出成形により作製された扁平管であり、管内に多数の冷媒通路を有する多穴管である。本発明の第一の形態のアルミニウム製押出扁平多穴管は、冷媒の流路となる冷媒通路を複数有する。冷媒通路は、管長さ方向、言い換えると、押出方向に延びている。
【００２８】
冷媒通路は、対向する上部壁面及び下部壁面と、対向する一対の側壁面と、からなる。つまり、冷媒の流路は、管長さ方向に延びる上部壁面、下部壁面、一方の側壁面及び他方の側壁面により四方を囲まれている。そして、本発明の第一の形態のアルミニウム製押出扁平多穴管では、冷媒通路には、上部壁面にのみ、管長さ方向に延びる突条が形成されている。よって、管長さ方向に対して垂直な面で切った断面における冷媒通路の形状は、上側の辺に、内側に向けて突起が形成されている略矩形状の形状である。なお、冷媒通路の略矩形状の形状の四隅は、角があってもよいし（９０°であってもよいし）、あるいは、弧状であってもよい。
【００２９】
言い換えると、本発明の第一の形態のアルミニウム製押出扁平多穴管は、管内に、隔壁で区画された管長さ方向に延びる複数の冷媒通路を有し、その冷媒通路の上部壁面にのみ突条が形成されている。
【００３０】
また、本発明の第一の形態のアルミニウム製押出扁平多穴管の外壁は、平坦な上部外壁と、平坦な下部外壁と、押出扁平多穴管の管長さ方向に垂直な面で切った断面視で円弧状の外部側壁と、からなる。
【００３１】
本発明の第一の形態のアルミニウム製押出扁平多穴管の各々の冷媒通路の上部壁面に形成されている突条の数は、好ましくは１〜４、特に好ましくは２〜３、より好ましくは１である。なお、図２及び図３に示す形態例では、各々の冷媒通路の上部壁面に形成されている突条の数は２である。
【００３２】
突条の高さは、冷媒通路の縦幅の５〜２５％、好ましくは冷媒通路の縦幅の５〜２０％、特に好ましくは冷媒通路の縦幅の１０〜２０％である。なお、突条の高さとは、図３に示すように、上部壁面の壁面位置線（符号１６で示す点線）から突条の頂点までの長さ（符号１５）を指し、また、冷媒通路の縦幅とは、図３に示すように、上部壁面の壁面位置線（符号１６）から下部壁面の壁面位置線（突条が形成されていない方の壁面では、壁面位置線は壁面に重なる。）までの長さ（符号１４）を指す。
【００３３】
本発明の第一の形態のアルミニウム製押出扁平多穴管において、冷媒通路の横幅に対する突条の１／２高さにおける横幅の比が、０．０５〜０．３０、好ましくは０．１０〜０．２０であり、且つ、冷媒通路の横幅に対する上部壁面の突条間平坦部１つ当たりの横幅の比が、０．２０以下、好ましくは０．０５〜０．１５である。なお、突条の１／２高さにおける横幅とは、図４に示すように、突条の高さ（符号１５）に対し１／２の高さに相当する位置（符号４３）の突条の横幅（符号４２）を指す。また、上部壁面の突条間平坦部とは、図４に示すように、突条と突条の間に存在する上部壁面の平坦な部分のことであり、曲面となっている突条の裾部（符号７１）は含まれない。よって、上部壁面の突条間平坦部１つ当たりの横幅とは、隣り合う突条のうちの一方の突条の裾部の終点（符号４４ａ）から他方の突条の裾部の終点（符号４４ｂ）までの長さを指す。冷媒通路の横幅に対する突条の１／２高さにおける横幅の比が、上記範囲未満だと、突条が薄くなり過ぎて製造が困難になり、また、上記範囲を超えると、冷媒の圧力損失が大きくなり過ぎる。また、冷媒通路の横幅に対する上部壁面の突条間平坦部１つ当たりの横幅の比が、上記範囲を超えると、熱交換性能が向上し難くなる。
【００３４】
本発明の第一の形態のアルミニウム製押出扁平多穴管において、突条の頂部の形状は、冷媒通路に向かって張り出す弧状又は円弧状である。なお、本発明において、「突条の頂部の形状が、冷媒通路に向かって張り出す弧状又は円弧状」であるとは、アルミニウム製押出扁平多穴管を、管長さ方向に対して垂直な面で切ったときの断面において、突条の頂部の輪郭が、冷媒通路に向かって張り出す弧状又は円弧状であることを指す（以下においても同じ。）
【００３５】
本発明の第一の形態のアルミニウム製押出扁平多穴管の管幅方向の両端には、冷媒通路を有する。そして、本発明の第一の形態のアルミニウム製押出扁平多穴管の管幅方向の両端の冷媒通路には、上部壁面に、突条が形成されていてもよいし、突条が形成されていなくてもよい。
【００３６】
本発明の第一の形態のアルミニウム製押出扁平多穴管は、蒸発器において、冷媒通路の上部壁面と下部壁面の両壁面に突条が形成されている扁平多穴管に比べ、突条による冷媒通路の断面積の減少が小さいので流動抵抗の増大が抑制される。また、冷媒通路の上部壁面と下部壁面の両壁面に突条が形成されていない扁平多穴管では、冷媒が冷媒通路の下部壁面に集中し、冷媒通路の上部側面を濡らさないいわゆるドライアウトと呼ばれる現象が生じ、ドライアウト発生部では熱交換が極端に低下する。それに対し、本発明の第一の形態のアルミニウム製押出扁平多穴管では、冷媒が上部壁面によく濡れるようになるため、上部壁面での熱交換が維持されるとともに、下部壁面における冷媒の液膜厚さが小さくなるので流通抵抗が増加し難い。このようなことから、本発明の第一の形態のアルミニウム製押出扁平多穴管は、蒸発器において、流動抵抗の増大が抑制され、且つ、優れた伝熱性能を示すので、蒸発器の熱交換器用の伝熱管として好適である。
【００３７】
本発明の第二の形態のアルミニウム製押出扁平多穴管について、図５を参照して説明する。図５は、本発明の第二の形態のアルミニウム製押出扁平多穴管の形態例を、冷媒通路の開口側から見た模式図である。
【００３８】
図５中、アルミニウム製押出扁平多穴管１ｂは、アルミニウム又はアルミニウム合金からなる。アルミニウム製押出扁平多穴管１ｂの外壁は、平坦な上部外壁９ｂと、平坦な下部外壁１０ｂと、アルミニウム製押出扁平多穴管１ｂの管長さ方向に対して垂直な面で切ったときの断面視で円弧状の外部側壁１１ｂ、１１ｂと、からなる。アルミニウム製押出扁平多穴管１ｂの管長さ方向に対して垂直な面で切ったときの断面視で、上部外壁９ｂと下部外壁１０ｂの壁面は平行である。
【００３９】
アルミニウム製押出扁平多穴管１ｂは、冷媒の流路となる冷媒通路２ｂを複数有する。冷媒通路２ｂは、管長さ方向に延びている。なお、管長さ方向は、アルミニウム製押出扁平多穴管１ｂの押出方向である。
【００４０】
冷媒通路２ｂは、対向する上部壁面３ｂ及び下部壁面４ｂと、対向する側壁面５ｂ及び側壁面６ｂと、からなる。各々の冷媒通路２ｂは、隔壁８ｂで区画されることにより、管内に複数形成されている。そして、アルミニウム製押出扁平多穴管１ｂでは、冷媒通路２ｂには、下部壁面４ｂにのみ、管長さ方向に延びる突条７ｂが形成されている。よって、管長さ方向に対して垂直に切った断面における冷媒流路２ｂの形状は、下側の辺に、内側に向けて突起が形成されている略矩形状の形状である。
【００４１】
本発明の第二の形態のアルミニウム製押出扁平多穴管は、押出成形により作製された、アルミニウム又はアルミニウム合金製の扁平多穴管であり、
扁平多穴管内部に、管長さ方向に延長し、対向する上部壁面及び下部壁面と、対向する一対の側壁面と、からなる冷媒通路を複数有し、
該冷媒通路の該下部壁面にのみ、管長さ方向に延長する突条が形成されており、
該突条の高さが、該冷媒通路の縦幅の５〜２５％であり、
該冷媒通路の横幅に対する該突条の１／２高さにおける横幅の比が、０．０５〜０．３０であり、且つ、該冷媒通路の横幅に対する該下部壁面の突条間平坦部１つ当たりの横幅の比が、０．２０以下であること、
を特徴とするアルミニウム製押出扁平多穴管である。
【００４２】
本発明の第二の形態のアルミニウム製押出扁平多穴管は、アルミニウム又はアルミニウム合金からなり、アルミニウム又はアルミニウム合金の押出成形により作製された扁平管であり、管内に多数の冷媒通路を有する多穴管である。本発明の第二の形態のアルミニウム製押出扁平多穴管は、冷媒の流路となる冷媒通路を複数有する。冷媒通路は、管長さ方向、言い換えると、押出方向に延びている。
【００４３】
冷媒通路は、対向する上部壁面及び下部壁面と、対向する一対の側壁面と、からなる。つまり、冷媒の流路は、管長さ方向に延びる上部壁面、下部壁面、一方の側壁面及び他方の側壁面により四方を囲まれている。そして、本発明の第二の形態のアルミニウム製押出扁平多穴管では、冷媒通路には、下部壁面にのみ、管長さ方向に延びる突条が形成されている。よって、管長さ方向に対して垂直に切った断面における冷媒通路の形状は、下側の辺に、内側に向けて突起が形成されている略矩形状の形状である。なお、冷媒通路の略矩形状の形状の四隅は、角があってもよいし（９０°であってもよいし）、あるいは、弧状であってもよい。
【００４４】
言い換えると、本発明の第二の形態のアルミニウム製押出扁平多穴管は、管内に、隔壁で区画された管長さ方向に延びる複数の冷媒通路を有し、その冷媒通路の下部壁面にのみ突条が形成されている。
【００４５】
また、本発明の第二の形態のアルミニウム製押出扁平多穴管の外壁は、平坦な上部外壁と、平坦な下部外壁と、押出扁平多穴管の管長さ方向に対して垂直な面で切った断面視で円弧状の外部側壁と、からなる。
【００４６】
本発明の第二の形態のアルミニウム製押出扁平多穴管の各々の冷媒通路の下部壁面に形成されている突条の数は、好ましくは１〜４、特に好ましくは２〜３、より好ましくは１である。なお、図５に示す形態例では、各々の冷媒通路の下部壁面に形成されている突条の数は２である。
【００４７】
突条の高さは、冷媒通路の縦幅の５〜２５％、好ましくは冷媒通路の縦幅の５〜２０％、特に好ましくは冷媒通路の縦幅の１０〜２０％である。なお、突条の高さとは、下部壁面の壁面位置線から突条の頂点までの長さを指し、また、冷媒通路の縦幅とは、下部壁面の壁面位置線から上部壁面の壁面位置線（突条が形成されていない方の壁面では、壁面位置線は壁面に重なる。）までの長さを指す。
【００４８】
本発明の第二の形態のアルミニウム製押出扁平多穴管において、冷媒通路の横幅に対する突条の１／２高さにおける横幅の比が、０．０５〜０．３０、好ましくは０．１０〜０．２０であり、且つ、冷媒通路の横幅に対する下部壁面の突条間平坦部１つ当たりの横幅の比が、０．２０以下、好ましくは０．０５〜０．１５である。なお、突条の１／２高さにおける横幅とは、突条の高さに対し１／２の高さに相当する位置の突条の横幅を指す。また、下部壁面の突条間平坦部とは、突条と突条の間に存在する下部壁面の平坦な部分のことであり、曲面となっている突条の裾部は含まれない。よって、下部壁面の突条間平坦部１つ当たりの横幅とは、隣り合う突条のうちの一方の突条の裾部の終点から他方の突条の裾部の終点までの長さを指す。冷媒通路の横幅に対する突条の１／２高さにおける横幅の比が、上記範囲未満だと、突条が薄くなり過ぎて製造が困難になり、また、上記範囲を超えると、冷媒の圧力損失が大きくなり過ぎる。また、冷媒通路の横幅に対する下部壁面の突条間平坦部１つ当たりの横幅の比が、上記範囲を超えると、熱交換性能が向上し難くなる。
【００４９】
本発明の第二の形態のアルミニウム製押出扁平多穴管において、突条の頂部の形状は、冷媒通路に向かって張り出す弧状又は円弧状である。
【００５０】
本発明の第二の形態のアルミニウム製押出扁平多穴管の管幅方向の両端には、冷媒通路を有する。そして、本発明の第二の形態のアルミニウム製押出扁平多穴管の管幅方向の両端の冷媒通路には、下部壁面に、突条が形成されていてもよいし、突条が形成されていなくてもよい。
【００５１】
本発明の第二の形態のアルミニウム製押出扁平多穴管は、凝縮器において、冷媒通路の上部壁面と下部壁面の両壁面に突条が形成されている扁平多穴管に比べ、突条による冷媒通路の断面積の減少が小さいので流動抵抗の増大が抑制される。また、冷媒通路の上部壁面と下部壁面の両壁面に突条が形成されていない扁平多穴管では、冷媒通路の下部壁面に凝縮した冷媒が蓄積していくと冷媒通路の下部壁面では凝縮が起こり難くなるのに対して、冷媒通路の下部壁面に突条が形成されている場合には、冷媒通路の下部壁面に凝縮した冷媒が蓄積していっても突条部の先端が冷媒に埋没せず、気相に突き出しているので、この気相に突き出した部分で凝縮が継続するため、優れた伝熱性能を示す。このようなことから、本発明の第二の形態のアルミニウム製押出扁平多穴管は、凝縮器において、突条による流動抵抗の増大を抑制し、且つ、優れた伝熱性能を示すので、凝縮器の熱交換器用の伝熱管として好適である。
【００５２】
本発明の第三の形態のアルミニウム製押出扁平多穴管について、図６を参照して説明する。図６は、本発明の第三の形態のアルミニウム製押出扁平多穴管の形態例を、冷媒通路の開口側から見た模式図である。
【００５３】
図６中、アルミニウム製押出扁平多穴管１ｃは、アルミニウム又はアルミニウム合金からなる。アルミニウム製押出扁平多穴管１ｃの外壁は、平坦な上部外壁９ｃと、平坦な下部外壁１０ｃと、アルミニウム製押出扁平多穴管１ｃの管長さ方向に対して垂直な面で切ったときの断面視で円弧状の外部側壁１１ｃ、１１ｃと、からなる。アルミニウム製押出扁平多穴管１ｃの管長さ方向に対して垂直な面で切ったときの断面視で、上部外壁９ｃと下部外壁１０ｃの壁面は平行である。
【００５４】
アルミニウム製押出扁平多穴管１ｃは、冷媒の流路となる冷媒通路２１ｃ、２２ｃを複数有する。冷媒通路２１ｃ、２２ｃは、管長さ方向に延びている。なお、管長さ方向は、アルミニウム製押出扁平多穴管１ｃ押出方向である。
【００５５】
冷媒通路２１ｃは、対向する上部壁面３１ｃ及び下部壁面４１ｃと、対向する側壁面５１ｃ及び側壁面６１ｃと、からなる。また、冷媒通路２２ｃは、対向する上部壁面３２ｃ及び下部壁面４２ｃと、対向する側壁面５２ｃ及び側壁面６２ｃと、からなる。各々の冷媒通路２１ｃ、２２ｃは、隔壁８ｃで区画されることにより、管内に複数形成されている。そして、アルミニウム製押出扁平多穴管１ｃでは、冷媒通路が、上部壁面３１ｃにのみ、管長さ方向に延びる突条７１ｃが形成されている冷媒通路２１ｃ（上部壁面突条形成冷媒通路）と、下部壁面４２ｃにのみ、管長さ方向に延びる突条７２ｃが形成されている冷媒通路２２ｃ（下部壁面突条形成冷媒通路）と、の組み合わせである。よって、管長さ方向に対して垂直に切った断面における上部壁面突条形成冷媒通路２１ｃの形状は、上側の辺に、内側に向けて突起が形成されている略矩形状の形状であり、また、管長さ方向に対して垂直に切った断面における下部壁面突条形成冷媒通路２２ｃの形状は、下側の辺に、内側に向けて突起が形成されている略矩形状の形状である。
【００５６】
本発明の第三の形態のアルミニウム製押出扁平多穴管は、押出成形により作製された、アルミニウム又はアルミニウム合金製の扁平多穴管であり、
扁平多穴管内部に、管長さ方向に延長し、対向する上部壁面及び下部壁面と、対向する一対の側壁面と、からなる冷媒通路を複数有し、
複数の該冷媒通路は、上部壁面にのみ管長さ方向に延長する突条が形成されている上部壁面突条形成冷媒通路と、下部壁面にのみ管長さ方向に延長する突条が形成されている下部壁面突条形成冷媒通路と、の組み合わせであり、
該突条の高さが、該冷媒通路の縦幅の５〜２５％であり、
該冷媒通路の横幅に対する該突条の１／２高さにおける横幅の比が、０．０５〜０．３０であり、該冷媒通路の横幅に対する該上部壁面の突条間平坦部１つ当たりの横幅の比が、０．２０以下であり、且つ、該冷媒通路の横幅に対する該下部壁面の突条間平坦部１つ当たりの横幅の比が、０．２０以下であること、
を特徴とするアルミニウム製押出扁平多穴管である。
【００５７】
本発明の第三の形態のアルミニウム製押出扁平多穴管は、アルミニウム又はアルミニウム合金からなり、アルミニウム又はアルミニウム合金の押出成形により作製された扁平管であり、管内に多数の冷媒通路を有する多穴管である。本発明の第三の形態のアルミニウム製押出扁平多穴管は、冷媒の流路となる冷媒通路を複数有する。冷媒通路は、管長さ方向、言い換えると、押出方向に延びている。
【００５８】
冷媒通路は、対向する上部壁面及び下部壁面と、対向する一対の側壁面と、からなる。つまり、冷媒の流路は、管長さ方向に延びる上部壁面、下部壁面、一方の側壁面及び他方の側壁面により四方を囲まれている。そして、本発明の第三の形態のアルミニウム製押出扁平多穴管は、上部壁面にのみ管長さ方向に延長する突条が形成されている上部壁面突条形成冷媒通路と、下部壁面にのみ管長さ方向に延長する突条が形成されている下部壁面突条形成冷媒通路と、を有する。よって、管長さ方向に対して垂直な面で切った断面における上部壁面突条形成冷媒通路の形状は、上側の辺に、内側に向けて突起が形成されている略矩形状の形状であり、また、管長さ方向に対して垂直な面で切った断面における下部壁面突条形成冷媒通路の形状は、下側の辺に、内側に向けて突起が形成されている略矩形状の形状である。なお、上部壁面突条形成冷媒通路及び下部壁面突条形成冷媒通路の略矩形状の形状の四隅は、角があってもよいし（９０°であってもよいし）、あるいは、弧状であってもよい。
【００５９】
言い換えると、本発明の第三の形態のアルミニウム製押出扁平多穴管は、管内に、隔壁で区画された管長さ方向に延びる複数の冷媒通路を有し、それらの冷媒通路は、上部壁面にのみ突条が形成されている冷媒流路と、下部壁面にのみ突条が形成されている冷媒通路と、の組み合わせである。
【００６０】
また、本発明の第三のアルミニウム製押出扁平多穴管の外壁は、平坦な上部外壁と、平坦な下部外壁と、押出扁平多穴管の管長さ方向に対して垂直な面で切った断面視で円弧状の外部側壁と、からなる。
【００６１】
本発明の第三の形態のアルミニウム製押出扁平多穴管の各々の冷媒通路の上部壁面又は下部壁面に形成されている突条の数は、好ましくは１〜４、特に好ましくは２〜３、より好ましくは１である。なお、図６に示す形態例では、各々の冷媒通路の上部壁面又は下部壁面に形成されている突条の数は２である。
【００６２】
突条の高さは、冷媒通路の縦幅の５〜２５％、好ましくは冷媒通路の縦幅の５〜２０％、特に好ましくは冷媒通路の縦幅の１０〜２０％である。なお、上部壁面突条形成冷媒通路においては、突条の高さとは、上部壁面の壁面位置線から突条の頂点までの長さを指し、また、冷媒通路の縦幅とは、上部壁面の壁面位置線から下部壁面の壁面位置線までの長さを指す。また、下部壁面突条形成冷媒通路においては、突条の高さとは、下部壁面の壁面位置線から突条の頂点までの長さを指し、また、冷媒通路の縦幅とは、下部壁面の壁面位置線から上部壁面の壁面位置線までの長さを指す。
【００６３】
本発明の第三の形態のアルミニウム製押出扁平多穴管において、冷媒通路の横幅に対する突条の１／２高さにおける横幅の比が、０．０５〜０．３０、好ましくは０．１０〜０．２０であり、冷媒通路の横幅に対する上部壁面の突条間平坦部１つ当たりの横幅の比が、０．２０以下、好ましくは０．０５〜０．１５であり、且つ、冷媒通路の横幅に対する下部壁面の突条間平坦部１つ当たりの横幅の比が、０．２０以下、好ましくは０．０５〜０．１５である。なお、突条の１／２高さにおける横幅とは、突条の高さに対し１／２の高さに相当する位置の突条の横幅を指す。また、上部壁面の突条間平坦部とは、突条と突条の間に存在する下部壁面の平坦な部分のことであり、曲面となっている突条の裾部は含まれない。よって、上部壁面の突条間平坦部１つ当たりの横幅とは、隣り合う突条のうちの一方の突条の裾部の終点から他方の突条の裾部の終点までの長さを指す。また、下部壁面の突条間平坦部とは、突条と突条の間に存在する下部壁面の平坦な部分のことであり、曲面となっている突条の裾部は含まれない。よって、下部壁面の突条間平坦部１つ当たりの横幅とは、隣り合う突条のうちの一方の突条の裾部の終点から他方の突条の裾部の終点までの長さを指す。冷媒通路の横幅に対する突条の１／２高さにおける横幅の比が、上記範囲未満だと、突条が薄くなり過ぎて製造が困難になり、また、上記範囲を超えると、冷媒の圧力損失が大きくなり過ぎる。また、冷媒通路の横幅に対する上部壁面の突条間平坦部１つ当たりの横幅の比が、上記範囲を超えると、熱交換性能が向上し難くなる。また、冷媒通路の横幅に対する下部壁面の突条間平坦部１つ当たりの横幅の比が、上記範囲を超えると、熱交換性能が向上し難くなる。
【００６４】
本発明の第三の形態のアルミニウム製押出扁平多穴管において、突条の頂部の形状は、冷媒通路に向かって張り出す弧状又は円弧状である。
【００６５】
本発明の第三の形態のアルミニウム製押出扁平多穴管の管幅方向の両端には、冷媒通路を有する。そして、本発明の第三の形態のアルミニウム製押出扁平多穴管の管幅方向の両端の冷媒流路には、上部壁面又は下部壁面に、突条が形成されていてもよいし、上部壁面及び下部壁面のいずれにも突条が形成されていなくてもよい。
【００６６】
本発明の第三の形態のアルミニウム製押出扁平多穴管では、上部壁面突条形成冷媒通路の数と、下部壁面突条形成冷媒通路の数の比は、好ましくは２：８〜８：２である。
【００６７】
本発明の第三の形態のアルミニウム製押出扁平多穴管では、上部壁面突条形成冷媒通路と下部壁面突条形成冷媒通路とが、交互に繰り返されていることが、好ましい。
【００６８】
本発明の第三の形態のアルミニウム製押出扁平多穴管は、蒸発器及び凝縮器において、冷媒通路の上部壁面と下部壁面の両壁面に突条が形成されている扁平多穴管に比べ、伝熱性能が高いので、本発明の第三の形態のアルミニウム製押出扁平多穴管は、突条による流動抵抗の増大を抑制し、且つ、優れた伝熱性能を示すため、蒸発器及び凝縮器の熱交換器用の伝熱管として好適である。
【００６９】
本発明の第一の形態のアルミニウム製押出扁平多穴管、本発明の第二の形態のアルミニウム製押出扁平多穴管、及び本発明の第三の形態のアルミニウム製押出扁平多穴管を構成するアルミニウム材としては、Ａ１０００系の純アルミニウムや、Ｍｎを０．３〜１．４質量％、Ｃｕを０．０５〜０．７質量％を含有するＡ３０００系アルミニウム合金が挙げられる。
【００７０】
本発明の第一の形態のアルミニウム製押出扁平多穴管、本発明の第二の形態のアルミニウム製押出扁平多穴管、及び本発明の第三の形態のアルミニウム製押出扁平多穴管の管幅は、適宜選択されるが、好ましくは１０〜５０ｍｍ、特に好ましくは１０〜３０ｍｍである。なお、押出扁平多穴管の管幅とは、管長さ方向に対して垂直な方向の押出扁平多穴管の幅のことであり、図１中、符号１８に示す長さである。
【００７１】
本発明の第一の形態のアルミニウム製押出扁平多穴管、本発明の第二の形態のアルミニウム製押出扁平多穴管、及び本発明の第三の形態のアルミニウム製押出扁平多穴管の厚みは、適宜選択されるが、好ましくは１〜５ｍｍ、特に好ましくは１〜３ｍｍである。なお、押出扁平多穴管の厚みとは、図１中、符号１９に示す長さであり、押出扁平多穴管の管長さ方向に対して垂直な面で切った断面における上部外壁から下部外壁までの長さである。
【００７２】
本発明の第一の形態のアルミニウム製押出扁平多穴管、本発明の第二の形態のアルミニウム製押出扁平多穴管、及び本発明の第三の形態のアルミニウム製押出扁平多穴管において、押出扁平多穴管の厚みに対する冷媒通路の縦幅の比は、適宜選択されるが、好ましくは０．４〜０．８５、特に好ましくは０．５〜０．８である。
【００７３】
本発明の第一の形態のアルミニウム製押出扁平多穴管、本発明の第二の形態のアルミニウム製押出扁平多穴管、及び本発明の第三の形態のアルミニウム製押出扁平多穴管において、冷媒通路の横幅は、適宜選択されるが、好ましくは０．４５〜２ｍｍ、特に好ましくは０．５〜１ｍｍである。なお、冷媒通路の横幅とは、図３中、符号２０に示す長さであり、冷媒通路の一方の側壁面から他方の側壁面までの長さである。
【００７４】
本発明の第一の形態のアルミニウム製押出扁平多穴管、本発明の第二の形態のアルミニウム製押出扁平多穴管、及び本発明の第三の形態のアルミニウム製押出扁平多穴管において、冷媒通路の数は、適宜選択されるが、好ましくは５〜３０個、特に好ましくは８〜２０個である。
【００７５】
本発明の第一の形態の熱交換器について、図７及び図８を参照して説明する。図７は、本発明の第一の形態の熱交換器の形態例の模式図であり、熱交換器の斜視図である。また、図８は、本発明の第一の形態例の熱交換器の他の形態例の模式図であり、熱交換器の正面図である。
【００７６】
図７中、熱交換器３０ａでは、複数のアルミニウム製押出扁平多穴管１ａが、列配置されて、ヘッダ２５ａ、２５ｂ内に冷媒の流路が繋がるように、両端がヘッダ２５ａ、２５ｂに挿入固定されており、列配置されたアルミニウム製押出扁平多穴管１ａの間に、コルゲート加工されたアルミニウム製の放熱フィン３５が複数固定されて、構成されている。また、ヘッダ２５ａの上側には、冷媒２６の導入口２８が付設されており、且つ、ヘッダ２５ａの下側には、冷媒２６の排出口２９が付設されている。つまり、導入口２８はベッダ２５ａの一端側に、排出口２９はベッダ２５ａの他端側に配置されている。なお、ヘッダ２５ａ及びヘッダ２５ｂの内側には、冷媒がヘッダ内をショートカットして流れないように、仕切が設けられている。また、導入口２８がベッダ２５ａと２５ｂのいずれか一方の上側に配置され、排出口２９がヘッダ２５ａと２５ｂの他方の下側に配置されていてもよい。図７は、熱交換器３０ａが凝縮器として作動する場合を示しているが、熱交換器３０ａが蒸発器として作動する場合は、導入口２８と排出口２９が逆になる。つまり、熱交換器３０ａが蒸発器として作動する場合は、ヘッダ２５ａの下側から冷媒が導入され、ヘッダ２５ａの上側から冷媒が排出される。
【００７７】
図８中、熱交換器３０ｂでは、複数のアルミニウム製押出扁平多穴管１ａが、列配置されて、ヘッダ２５ａ、２５ｂ内に冷媒の流路が繋がるように、両端がヘッダ２５ａ、２５ｂに挿入固定されており、列配置されたアルミニウム製押出扁平多穴管１ａが、アルミニウム製押出扁平多穴管１ａの管長さ方向に一定の間隔を開けて多数配置されたプレート状の放熱フィン４５のスリットに嵌合されて固定されることにより、構成されている。また、ヘッダ２５ａの上側には、冷媒２６の導入口２８が付設されており、且つ、ヘッダ２５ａの下側には、冷媒２６の排出口２９が付設されている。つまり、導入口２８はベッダ２５ａの一端側に、排出口２９はベッダ２５ａの他端側に配置されている。なお、ヘッダ２５ａ及びヘッダ２５ｂの内側には、冷媒がヘッダ内をショートカットして流れないように、仕切が設けられている。また、導入口２８がベッダ２５ａと２５ｂのいずれか一方の上側に配置され、排出口２９がヘッダ２５ａと２５ｂの他方の下側に配置されていてもよい。図８は、熱交換器３０ｂが凝縮器として作動する場合を示しているが、熱交換器３０ｂが蒸発器として作動する場合は、導入口２８と排出口２９が逆になる。つまり、熱交換器３０ｂが蒸発器として作動する場合は、ヘッダ２５ａの下側から冷媒が導入され、ヘッダ２５ａの上側から冷媒が排出される。
【００７８】
熱交換器３０ａ及び熱交換器３０ｂでは、冷媒２６は、導入口２８からヘッダ２５ａ内に供給され、次いで、アルミニウム製押出扁平多穴管１ａ内の冷媒通路内を通り、ヘッダ２５ｂ内に流れ込み、次いで、アルミニウム製押出扁平多穴管１ａ内の冷媒通路内を通り、ヘッダ２５ａ内に流れる込むことを繰り返し、最終的に、排出口２９から排出される。
【００７９】
本発明の第一の形態の熱交換器は、列配置されている複数の扁平多穴管と、該扁平多穴管に固定されている複数の放熱フィンと、を有し、
該扁平多穴管が、本発明の第一の形態のアルミニウム製押出扁平多穴管であること、
を特徴とする熱交換器である。
【００８０】
本発明の第一の形態の熱交換器は、複数の本発明の第一の形態のアルミニウム製押出扁平多穴管と、複数の放熱フィンと、有する。本発明の第一の形態の熱交換器において、放熱フィンは、アルミニウム又はアルミニウム合金製である。
【００８１】
本発明の第一の形態の熱交換器では、本発明の第一の形態のアルミニウム製押出扁平多穴管が複数、上部外壁の平坦面が上に向くようにして、一定の間隔を開けて、列配置されている。また、本発明の第一の形態の熱交換器では、列配置された本発明の第一の形態のアルミニウム製押出扁平多穴管に、複数の放熱フィンが固定されている。
【００８２】
放熱フィンとしては、コルゲート加工されたコルゲートフィン、平板状のプレートフィンが挙げられる。また、コルゲートフィンとしては、芯材（例えば、Ａ３０００系芯材）の両面にろう材がクラッドされているブレージングシート材と、ろう材がクラッドされていないベアフィン材と、が挙げられる。
【００８３】
本発明の第一の形態の熱交換器では、列配置されている複数の本発明の第一の形態のアルミニウム製押出扁平多穴管の両端は、一対のヘッダに、冷媒の流路が繋がるように挿入固定されている。一方のヘッダに、冷媒の導入口と排出口が付設されるか、あるいは、一方のヘッダに冷媒の導入口が付設され且つ他方のヘッダに冷媒の排出口が付設される。冷媒の導入口と冷媒の排出口は、通常、熱交換の効率化の観点から、本発明の第一の形態のアルミニウム製押出扁平多穴管及び放熱フィンからなるコア部の対角又は一方の上下に付設される。
【００８４】
本発明の第一の形態の熱交換器において、放熱フィンが、コルゲートフィンの場合、熱交換器のコア部は、本発明の第一の形態のアルミニウム製押出扁平多穴管とコルゲートフィンとが交互に積層されている構造となる。そして、コルゲート加工されたブレージングシート材を用いて熱交換器を製造する場合、例えば、本発明の第一の形態のアルミニウム製押出扁平多穴管の上部外壁と下部外壁の表面にバインダ及びＫＺｎＦ３等のフラックスの混合物を塗布した後、押出扁平多穴管とコルゲート加工されたブレージングシート材とを交互に積層し、押出扁平多穴管の両端を一対のヘッダに挿入し、ヘッダに冷媒導入口及び冷媒排出口を取り付け、ろう付け加熱することにより、熱交換器を製造する。また、コルゲート加工されたベアフィン材を用いて熱交換器を製造する場合、例えば、本発明の第一の形態のアルミニウム製押出扁平多穴管の上部外壁と下部外壁の表面にＳｉ粉末等のろう材、バインダ及びＫＺｎＦ３等のフラックスの混合物を塗布した後、押出扁平多穴管とコルゲート加工されたベアフィン材とを交互に積層し、押出扁平多穴管の両端を一対のヘッダに挿入し、ヘッダに冷媒導入口及び冷媒排出口を取り付け、ろう付け加熱することにより、熱交換器を製造する。
【００８５】
本発明の第一の形態の熱交換器において、放熱フィンが、プレートフィンの場合、熱交換器のコア部は、一定の間隔を開けて列配置されている本発明の第一の形態のアルミニウム製押出扁平多穴管が、押出扁平多穴管の管長さ方向に一定の間隔を開けて多数配置されているプレートフィンに嵌め込まれた構造である。そして、例えば、プレートフィンに本発明の第一の形態のアルミニウム製押出扁平多穴管を嵌合させるためのスリットを形成させた後、スリットが形成された多数のプレートフィンを一定間隔を開けて配置させ、プレートフィンのスリットに押出扁平多穴管を嵌合させ、押出扁平多穴管の両端を一対のヘッダに挿入し、ヘッダに冷媒導入口及び冷媒排出口を取り付けることにより、熱交換器を製造する。
【００８６】
本発明の第二の形態の熱交換器は、列配置されている複数の扁平多穴管と、該扁平多穴管に固定されている複数の放熱フィンと、を有し、
該扁平多穴管が、本発明の第二の形態のアルミニウム製押出扁平多穴管であること、
を特徴とする熱交換器である。
【００８７】
本発明の第二の形態の熱交換器と本発明の第一の形態の熱交換器とでは、用いられている押出扁平多穴管が、前者は、本発明の第二の形態のアルミニウム製押出扁平多穴管であるのに対し、後者は、本発明の第一の形態のアルミニウム製押出扁平多穴管である点が異なること以外は両者は同様である。
【００８８】
本発明の第三の形態の熱交換器は、列配置されている複数の扁平多穴管と、該扁平多穴管に固定されている複数の放熱フィンと、を有し、
複数の該扁平多穴管が、本発明の第一の形態のアルミニウム製押出扁平多穴管と、本発明の第二の形態のアルミニウム製押出扁平多穴管と、の組み合わせであり、
気相側に、本発明の第一の形態のアルミニウム製押出扁平多穴管が配置されており、且つ、液相側に、本発明の第二の形態のアルミニウム製押出扁平多穴管が配置されていること、
を特徴とする熱交換器である。
【００８９】
本発明の第三の形態の熱交換器と本発明の第一の形態の熱交換器とでは、用いられている押出扁平多穴管が、前者は、本発明の第一の形態のアルミニウム製押出扁平多穴管と本発明の第二の形態のアルミニウム製押出扁平多穴管の組み合わせであるのに対し、後者は、本発明の第一の形態のアルミニウム製押出扁平多穴管である点が異なること以外は、両者は同様である。
【００９０】
そして、本発明の第三の形態の熱交換器では、気相側に、本発明の第一の形態のアルミニウム製押出扁平多穴管が配置されており、且つ、液相側に、本発明の第二の形態のアルミニウム製押出扁平多穴管が配置されている。なお、気相側及び液相側とは、熱交換器が凝縮器として用いられる場合である図７及び図８中の熱交換器３０ａ、３０ｂでは、気相側とは、上側、すなわち、冷媒の導入口寄りの位置であり、液相側とは、下側、すなわち、冷媒の排出口寄りの位置である。また、熱交換器が蒸発器として用いられる場合、気相側とは、上側、すなわち、冷媒の排出口寄りの位置であり、液相側とは、下側、すなわち、冷媒の導入口寄りの位置である。
【００９１】
本発明の第四の形態の熱交換器は、列配置されている複数の扁平多穴管と、該扁平多穴管に固定されている複数の放熱フィンと、を有し、
該扁平多穴管が、本発明の第三の形態のアルミニウム製押出扁平多穴管であること、
を特徴とする熱交換器である。
【００９２】
本発明の第四の形態の熱交換器と本発明の第一の形態の熱交換器とでは、用いられている押出扁平多穴管が、前者は、本発明の第三の形態のアルミニウム製押出扁平多穴管であるのに対し、後者は、本発明の第一の形態のアルミニウム製押出扁平多穴管である点が異なること以外は、両者は同様である。
【００９３】
空調機器は、蒸発器用熱交換器と凝縮器用熱交換器の間にコンプレッサと膨張弁とを配管で結んだものが用いられる。そして、空調機器では、コンプレッサ→凝縮器用熱交換器（放熱）→膨張弁→蒸発器用熱交換器（吸熱）→コンプレッサーの順に冷媒が流れることにより、熱交換が行われる。一般的には気相の冷媒がコンプレッサにより圧縮されて温度が上昇し、気相の状態で凝縮用熱交換器に導入され、放熱されると冷媒は凝縮して液相に変化する。そして、液相になった冷媒を膨張弁を通過させ、急激に減圧させて蒸発器用熱交換器に導入すると周囲の熱を吸収しながら気相に変化し蒸発器用熱交換器から排出される。気相になった冷媒はコンプレッサで圧縮されるというサイクルを繰り返すことで熱交換が行われる。従って、凝縮器用熱交換器にあっては、導入口側は気相側となり、排出口側が液相側となる。反対に蒸発器用熱交換器にあっては、導入口側は液相側となり、排出口側が気相側となる。
【００９４】
空調機器が、自動車用エアコンに用いられる場合は、室内機用熱交換器を蒸発器用熱交換器とし、室外機用熱交換器を凝縮器用熱交換器とすることで冷房運転を行うことができる。暖房運転は、室内機用熱交換器とは別に、高温のラジエータ冷却水を流通させた放熱用熱交換器を配置することにより行うことができる。
【００９５】
空調機器が、室内用空調に用いられる場合、熱交換器は、凝縮器用熱交換器と蒸発器用熱交換器の両方として用いられる。室内機用熱交換器を凝縮器用熱交換器とし、室外機用熱交換器を蒸発器用熱交換器とすることで暖房運転を行い、また、室内機用熱交換器を蒸発器用熱交換器とし、室外機用熱交換器を凝縮器用熱交換器とすることで冷房運転を行うことができる。
【００９６】
そのため、本発明の第一の形態の熱交換器は、特に蒸発において、冷媒通路の上部壁面と下部壁面の両壁面に突条が形成されている扁平多穴管に比べ、突条による流動抵抗の増大を抑制し、且つ、伝熱性能が優れているので、蒸発器用の熱交換器として、好適である。また、本発明の第二の形態の熱交換器は、凝縮において、冷媒通路の上部壁面と下部壁面の両壁面に突条が形成されている扁平多穴管に比べ、突条による流動抵抗の増大を抑制し、且つ、伝熱性能が優れているので、凝縮器用の熱交換器として、好適である。また、本発明の第三の形態の熱交換器は、蒸発及び凝縮のいずれにおいても、冷媒通路の上部壁面と下部壁面の両壁面に突条が形成されている扁平多穴管に比べ、突条による流動抵抗の増大を抑制し、且つ、伝熱性能が優れているので、蒸発器及び凝縮器用の熱交換器として、好適である。また、本発明の第四の形態の熱交換器は、蒸発及び凝縮のいずれにおいても、冷媒通路の上部壁面と下部壁面の両壁面に突条が形成されている扁平多穴管に比べ、突条による流動抵抗の増大を抑制し、且つ、伝熱性能が優れ、製造において上部壁面にのみ突条が形成されている伝熱管と、下部壁面にのみ突条が形成されている伝熱管との区別を行う手間が省けるため、蒸発器及び凝縮器用の熱交換器として、好適である。
【００９７】
以下に実施例を挙げて、本発明を具体的に説明するが、本発明はこれに制限されるものではない。
【実施例】
【００９８】
（実施例及び比較例）
アルミニウム材として、Ａ１１００を用いて、表１及び表２に示す寸法諸言の扁平多穴管を押出成形し、押出扁平多穴管を作製した。なお、実施例１Ａ、比較例１Ｂ及び比較例１Ｃは、上部壁面にのみ突条が形成されており、実施例２Ａ、比較例２Ｂ及び比較例２Ｃは、下部壁面にのみ突条が形成されており、実施例３Ａ、比較例３Ｂ及び比較例３Ｃは、上部壁面にのみ突条が形成されている冷媒流路と、下部壁面にのみ突条が形成されている冷媒通路と、が交互に繰り返されており、比較例４は上部壁面及び下部壁面のいずれにも突条は形成されておらず、比較例５は上部壁面及び下部壁面のいずれにも突条が形成されている。【００９９】
【表１】
2017073715.tif 000003
【０１００】
【表２】
2017073715.tif 000004
【０１０１】
＜性能評価＞
上記のようにして作製した押出扁平多穴管を、表３に示す条件で伝熱性能の測定を行った。扁平多穴管の流体通路に冷媒を所定の流量で流し、扁平多穴管の外側に冷媒の流通方向と反対方向に水を流して熱交換させ、冷媒の蒸発および凝縮時の熱伝達率αと圧力損失ΔＰを測定した。その結果を表４及び表５に示す。なお、α/ΔＰ相対比は、比較例４のα／ΔＰを「１」とした場合の相対比である。【０１０２】
【表３】
2017073715.tif 000005
【０１０３】
【表４】
2017073715.tif 000006
【０１０４】
【表５】
2017073715.tif 000007
【０１０５】
本発明の実施例１Ａ、２Ａ及び３Ａは、いずれも、冷媒流量が変化しても、比較例４を基準としたときの熱伝達率α／圧力損失ΔＰの相対比が、蒸発の場合で２以上、凝縮の場合で１．２以上であり、圧力損失に対する熱交換性能が向上していた。【０１０６】
これらに対して、冷媒通路の横幅に対する突条の１／２高さにおける横幅の比が大きい比較例１Ｂ、２Ｂ及び３Ｂ、並びに冷媒通路の横幅に対する突条間平坦部１つ当たりの横幅の比が大きい比較例１Ｃ、２Ｃ及び３Ｃにおいては、冷媒流量によっては、比較例４を基準としたときの熱伝達率α／圧力損失ΔＰの相対比が、蒸発の場合で２以上、凝縮の場合で１．２以上にならない場合があった。
【符号の説明】
【０１０７】
１ａ、１ｂ、１ｃ  アルミニウム製押出扁平多穴管
２ａ、２ｂ、２１ｃ、２２ｃ  冷媒通路
３ａ、３ｂ、３１ｃ、３２ｃ  上部壁面
４ａ、４ｂ、４１ｃ、４２ｃ  下部壁面
５ａ、５ｂ、５１ｃ、５２ｃ  一方の側壁
６ａ、６ｂ、６１ｃ、６２ｃ  他方の側壁
７ａ、７ｂ、７１ｃ、７２ｃ  突条
８ａ、８ｂ、８ｃ  隔壁
９ａ、９ｂ、９ｃ  上部外壁
１０ａ、１０ｂ、１０ｃ  下部外壁
１１ａ、１１ｂ、１１ｃ  外部側壁
１４          冷媒通路の縦幅
１５          突条の高さ
１６          上部壁面の壁面位置線
１７          管長さ方向（押出方向）
１８          押出扁平多穴管の管幅
１９          押出扁平多穴管の厚み
２０          冷媒通路の横幅
２５ａ、２５ｂ  ヘッダ
２６          冷媒
２８          導入口
２９          排出口
３０ａ、３０ｂ  熱交換器
３５、４５    放熱フィン
４１          突条間平坦部の横幅
４２          突条の１／２高さにおける横幅
４３          突条の１／２高さの位置
４４ａ、４４ｂ  突条の裾部の終点
７１          突条の裾部
７２          突条間平坦部
７３          突条の頂部
【図１】
2017073715.tif 000008
【図２】
2017073715.tif 000009
【図３】
2017073715.tif 000010
【図４】
2017073715.tif 000011
【図５】
2017073715.tif 000012
【図６】
2017073715.tif 000013
【図７】
2017073715.tif 000014
【図８】
2017073715.tif 000015
【国際調査報告】
2017073715.tif 000016
2017073715.tif 000017
2017073715.tif 000018
2017073715.tif 000019